(57)【要約】【課題】固定部材に対する扉体の前後及び左右方向の調整が可能で、固定ボルトが緩んで外れても取付プレートがケース体から抜け落ちることなく、正確な左右方向の調整を可能とし、且つ、この方向の調整量を大きくできるようにする。【解決手段】第１取付プレート３をケース体２のガイド部２ｂ１によって形成されたコ字状隙間に挿通させて（図４（Ｂ）の（ａ））ケース体２に重ね合わせる。このとき、ケース体２の上記突起部２ｂによって第１取付プレート３の所定位置が均等に支持される。そして、第１取付プレート３の切欠溝部３ｆとガイド部２ｂ１との間に所要のクリアランスを形成しつつ、ガイド部２ｂ１が切欠溝部３ｆの側壁に係止可能なように当該ガイド部２ｂ１をカシメる（図４（Ｂ）の（ｂ））。このクリアランス量により左右方向の調整に際しての調整量を大きくでき、また、この係止により取付プレートのケース体からの抜落ちを防止する。【選択図】図４
2014118785.tif 000002
【特許請求の範囲】
【請求項１】
固定部材側に配設されるケース体及び第１取付プレートと、扉体側に配設される第２取付プレートとを備え、前記第１取付プレートと第２取付プレートとが付設部材を介して連設される開き戸用蝶番において、
前記ケース体を前記固定部材に固着させ、前記第１取付プレートを前記ケース体に対し前記固定部材に対する前記扉体の前後方向の調整が行えるように当該方向に移動可能に配設し、更に、前記ケース体に、前記扉体からの左右方向の荷重が前記第１取付プレートに付与されたときにこの荷重に応じて前記第１取付プレートを左右方向に揺動させてこの方向の調整を行えるように当該第１取付プレートの所定位置を支持する突起部を立設し、この突起部の両端から上方にそれぞれ延出して互いに対峙する向きに折曲され、且つ、この折曲部の隙間に挿通される前記第１取付プレートとの間に所要のクリアランスが形成されてなる略Ｌ字状ガイド部を設けてなることを特徴とする開き戸用蝶番。
【請求項２】
前記第１取付プレートの板状部で、当該第１取付プレートの前記ガイド部への挿通が完了したとき当該ガイド部と対峙するところに、当該ガイド部の幅長より所要の幅広で、且つ、適宜な溝深さの、当該ガイド部に臨んで開口してなる切欠溝部を形成し、前記第１取付プレートの前記ガイド部への挿通が完了した後に、当該第１取付プレートと当該ガイド部との間に所要のクリアランスを形成しつつ、前記第１取付プレートの前後方向への移動の制限として前記ガイド部が前記切欠溝部の側壁に係止されるように当該ガイド部を変形してなることを特徴とする請求項１に記載の開き戸用蝶番。
【発明の詳細な説明】
【技術分野】
【０００１】
本発明は、家具や建具等に設けられる扉体を開閉するための開き戸用蝶番に関するものである。
【背景技術】
【０００２】
開き戸用蝶番において、当該開き戸用蝶番のケース体及び第１取付プレートが、例えば家具の固定部材に位置決めして配設され、また、第２取付プレートが、例えば家具の扉体に位置決めして配設されるものであって、固定部材に対する扉体の前後方向の調整及び固定部材に対する扉体の左右方向の調整の両方を行えるようにしたものが従来からある（特許文献１）。
図５，６に示すように、特許文献１の扉開閉装置（開き戸用蝶番）１００は、ケース体１０１及び第１取付プレート１０２が固定部材Ｐに位置決めして配設され、また、第２取付プレート１０３が扉体Ｑに位置決めして配設され、第１取付プレート１０２と第２取付プレート１０３とが付設部材１０４を介して連設されているものである。
このような扉開閉装置１００において、前後方向の調整は、ケース体１０１の大長円１０１ｃ１に配設されるカム本体１０５ａと、その径大軸を第１取付プレート１０２の嵌合孔１０２ｄに嵌合させるとともに、その径小軸に垂下された下軸をカム本体１０５ａの偏心孔に圧入してなるカム操作部１０５ｂとからなるカム１０５を用いて行う。具体的には、カム操作部１０５ｂをドライバ等の操作具で適宜方向に回転させると、カム本体１０５ａが偏心して回転するために、取付プレート１０２は、ケース体１０１の基部１０１ａの底板上を前後方向（図６中の矢印方向）に移動するので、上記前後方向の調整が可能になる。また、左右方向の調整は、ケース体１０１のネジ孔１０１ｄに螺合し、その首下が取付プレート１０２の長溝１０２ｃの突条受け１０２ｃ１に係止される調整ボルト１０６を用いて行う。具体的には、ドライバ等の操作具で調整ボルト１０６を適宜方向に進退させると、調整ボルト１０６の進退に伴って取付プレート１０２は、連結部材１０７の位置を支点として図７中の矢印方向に揺動するので、上記左右方向の調整が可能になる。このとき、取付プレート１０２は、取付プレート１０４から荷重を受けるが、この荷重を連結部材１０７で支持する。かかる連結部材１０７は、当該連結部材１０７の鍔部の裏座面が、取付プレート１０２の湾曲部１０２ｇに合わせた円弧状形態をなすとともに、その表面がフラットな平面をなしており、取付プレート１０２の挿通孔１０２ｆから挿入してケース体１０１の挿通孔１０１ｅより突出した部位をカシメて取り付けられている。これら調整完了後は、固定ボルト１０８により、取付プレート１０２はケース体１０１に固定される。
【０００３】
しかしながら、上述した扉開閉装置においては、固定部材に対する扉体の前後方向の調整及び左右方向の調整の両方が可能で、固定ボルトが緩んで外れることがあっても取付プレートがケース体から抜け落ちないために、最悪の場合に扉体が落下する危険が回避されているが、この抜け落ち防止が、上述のように連結部材のカシメによって結果的に得られているものであることに加え、この対をなす連結部材に対するそれぞれのカシメ具合によってこれら連結部材に遊び（遊びは、取付プレートの所定範囲での左右方向の移動が可能なように設けられる。）の差が生じそのため取付プレートに対する正確な左右調整ができなくなり、その結果、固定部材に対する扉体の左右調整の建付けが正確にできなくなるという不具合が生ずる場合がある。また、この扉開閉装置における左右調整では、取付プレートの左右の揺動量がケース体の基部の底板面に接する当該取付プレートの湾曲部での揺動量に因っているために調整量を大きくすることが難しいという不具合がある。
【特許文献１】特開２００８−１５７０２３（第７〜９頁、図５〜８）
【発明の開示】
【発明が解決しようとする課題】
【０００４】
解決しようとする問題点は、固定部材に対する扉体の前後方向の調整及び左右方向の調整の両方が可能で、固定ボルトが緩んで外れることがあっても取付プレートがケース体から抜け落ちることがない従来の利点を備えつつ、正確な左右方向の調整による建付けを可能とし、且つ、左右方向の調整に際しての調整量を大きくできる構造のものとする点である。
【課題を解決するための手段】
【０００５】
本発明の請求項１に係る開き戸用蝶番は、固定部材側に配設されるケース体及び第１取付プレートと、扉体側に配設される第２取付プレートとを備え、前記第１取付プレートと第２取付プレートとが付設部材を介して連設される開き戸用蝶番において、前記ケース体を前記固定部材に固着させ、前記第１取付プレートを前記ケース体に対し前記固定部材に対する前記扉体の前後方向の調整が行えるように当該方向に移動可能に配設し、更に、前記ケース体に、前記扉体からの左右方向の荷重が前記第１取付プレートに付与されたときにこの荷重に応じて前記第１取付プレートを左右方向に揺動させてこの方向の調整を行えるように当該第１取付プレートの所定位置を支持する突起部を立設し、この突起部の両端から上方にそれぞれ延出して互いに対峙する向きに折曲され、且つ、この折曲部の隙間に挿通される前記第１取付プレートとの間に所要のクリアランスが形成されてなる略Ｌ字状ガイド部を設けてなるものであり、これにより、固定部材に対する扉体の前後方向の調整及び左右方向の調整の両方が可能で、固定ボルトが緩んで外れることがあっても第１取付プレートがケース体から抜け落ちることがない従来の利点を備えつつ、正確な左右調整の建付けが可能となり、且つ、左右調整に際しての調整量を大きくできる。
ところで、本請求項に係る開き戸用蝶番の構造は、経験的に固定部材に対する扉体の左右方向の調整が必要となることが常であることに鑑み、上記所要のクリアランスが形成されていれば、左右方向の調整時に第１取付プレートがガイド部に当接するために第１取付プレートがケース体から抜け落ちることは回避されるという前提をなしているが、左右調整に際しての調整量はある程度制限される。
ここで、上記左右方向の調整や前後方向とは、枠体と扉体との隙間の調整であり、左右方向は、例えば図３の矢印Ａ１又はＡ２方向で、前後方向は、例えば図３の矢印Ｂ１又はＢ２方向である。
尚、ケース体及び第１取付プレートが扉体側に配設され、第２取付プレートが固定部材側に配設される開き戸用蝶番についても、同様な構成を採ることができることはもちろんである。
【０００６】
本発明の請求項２に係る開き戸用蝶番は、前記第１取付プレートの板状部で、当該第１取付プレートの前記ガイド部への挿通が完了したとき当該ガイド部と対峙するところに、当該ガイド部の幅長より所要の幅広で、且つ、適宜な溝深さの、当該ガイド部に臨んで開口してなる切欠溝部を形成し、前記第１取付プレートの前記ガイド部への挿通が完了した後に、当該第１取付プレートと当該ガイド部との間に所要のクリアランスを形成しつつ、前記第１取付プレートの前後方向への移動の制限として前記ガイド部が前記切欠溝部の側壁に係止されるように当該ガイド部を変形（例えば、カシメたり、折曲げたりなど）してなるものであり、これにより、確実に第１取付プレートのケース体からの抜け落ちを回避できることに加え、上記切欠溝部の溝深さやカシメの程度によって所要のクリアランスを形成することができるので、これを左右方向の調整に際して見込まれる調整量に応じて設定することができる。
上記所要のクリアランスの最大値は、固定部材に対する扉体の左右方向の調整に対応する第１取付プレートの移動から経験的に見積もられる。
【発明の効果】
【０００７】
本発明の開き戸用蝶番は、固定部材に対する扉体の前後方向の調整及び左右方向の調整の両方が可能で、固定ボルトが緩んで外れることがあっても取付プレートがケース体から抜け落ちることがない従来の利点を備えつつ、正確な左右方向の調整の建付けを可能とし、且つ、この方向の調整に際しての調整量を大きくできる利点がある。
【発明を実施するための最良の形態】
【０００８】
本発明の実施の形態に係る開き戸用蝶番を図１〜４を参照して説明する。
本開き戸用蝶番１は、図１，２に示すように、ケース体２及び第１取付プレート３が固定部材（図示しないが、図６の固定部材Ｐに相当）に位置決めして配設され、また、第２取付プレート（図示しないが、図６の第２取付プレート１０３に相当）が扉体（図示しないが、図６の扉体Ｑに相当）に位置決めして配設され、第１取付プレート２と第２取付プレートとが付設部材４を介して連設されているものである。符号５は、化粧カバーである。
【０００９】
本蝶番１のケース体２は、図２に示すように、板状部２ａの長辺側一方端が断面略Ｌ字状に折り曲げて立設された、後に詳述する突起部２ｂを有する部材で、板状部２ａには、当該ケース体２の中心線Ｘ−Ｘに沿って、上記突起部２ｂ寄りのところにこの薄板状部２ａの面上に薄高く肉盛りされてなる円形状の台座２ｃが、また、上記突起部２ｂとは反対側の長辺側他方端寄りのところにネジ孔２ｄが設けられており、台座２ｃの挿通孔２ｃ１には前後方向を調整するためのカム６の下軸６ｂが嵌入され、また、ネジ孔２ｄには左右方向を調整するための調整ボルト７が螺合する。そして、この板状部２ａには、上記台座２ｃを隔てて突起部２ｂ寄りのところに、上記調整完了後に、第１取付プレート３をケース体２に固定するための固定ボルト８が螺着する一対のネジ孔２ｅがそれぞれ螺刻されている。更に、この板状部２ａには、各ネジ孔２ｅから短辺側寄りの当該板状部２ａの略中央部のところに、コ字状に切欠いた後、切欠かずに残した長辺側他方端寄りの辺縁を起点として上記突起部２ｂに対向する態様で折曲されてなる一対の突条２ｆが立設されており、これら突条２ｆの間に、ケース体２の突起部２ｂに支持されるようにして第１取付プレート３を組み付けたときに当該第１取付プレート３が緩やかに挟持される。したがって、上記突起部２ｂの、後述するガイド部２ｂ１に形成されるコ字状隙間に挿通され（このとき、このガイド部２ｂ１間に挟持される態様をなす）、且つ、この突条２ｆ間によっても挟持される第１取付プレート３は、上記中心線Ｘ−Ｘに垂直な方向の動きが規制される。
尚、ケース体２の短辺側両端部の近傍に設けられた挿通孔２ｇは、当該ケース体２を固定部材に固定するための止めビス（図示せず）の挿通孔である。
【００１０】
ケース体２の上記突起部２ｂは、扉体からの左右方向の荷重が第１取付プレート３に付与されたときにこの荷重に応じて第１取付プレート３を左右方向に移動させてこの方向の調整を行えるように当該第１取付プレート３の所定位置を支持するためのものであるが、この突起部２ｂには、図３，４に示すように、当該突起部２ｂの両端から上方にそれぞれ延出して互いに対峙する向きに折曲して形成されてなる略Ｌ字状ガイド部２ｂ１が設けられており、後述のように、このガイド部２ｂ１によって突起部２ｂに形成されるコ字状隙間には第１取付プレート３の板状部３ａの長辺側端部がそれぞれ挿通され、このガイド部２ｂ１とこの板状部３ａの長辺側端部に形成される下記切欠溝部３ｆとの隙間に所要のクリアランスが形成されるように当該ガイド部２ｂ１が、本実施の形態ではカシメられている。
【００１１】
本蝶番１の第１取付プレート３は、図２に示すように、略矩形状の板状部３ａと、この板状部３ａの短辺の一方端側を湾曲加工して形成された円筒状部３ｂとからなっている。そして、この板状部３ａの短辺の他方端寄りのところには、当該取付プレート３の中心線Ｙ−Ｙに沿って、この板状部３ａの他方端側に当該他方端に開口する態様で長溝３ｃが設けられ、また、この長溝３ｃに近接してカム６の本体部６ａが嵌合される長円孔３ｄが上記中心線Ｙ−Ｙに垂直な方向を長軸として設けられている。ところで、上記長溝３ｃには調整ボルト７が挿入されるとともに、当該調整ボルト７の首下がこの長溝３ｃの内壁面の下部に形成された突条受け（図示せず）に係止されるようになっている。
更に、板状部３ａには、上記長円孔３ｄを隔てて適宜な位置で、当該板状部３ａの他方端寄りのところに中心線Ｙ−Ｙ方向に長軸を有する一対の長円３ｅがそれぞれ設けられており、かかる長円３ｅは、固定ボルト７の挿通孔であり、固定部材に対する扉体の前後方向の調整に際し当該固定ボルト７との干渉を防止すべく楕円状に形成されている。
【００１２】
この板状部３ａには、図３，４に示すように、当該第１取付プレート３のガイド部２ｂ１への挿通が完了したとき当該ガイド部２ｂ１と対峙するところに、当該ガイド部２ｂ１の幅長よりも、上記前後方向の調整量を考慮した所要の幅広をなし、また、上記左右方向の調整量を考慮した適宜な溝深さで当該ガイド部２ｂ１に臨んで開口してなる形状の切欠溝部３ｆが形成されている。そして、第１取付プレート３のガイド部２ｂ１への挿通が完了した後に、当該第１取付プレート３の切欠溝部３ｆ（詳細には、切欠溝部３ｆの溝底３ｆ１）とガイド部２ｂ１との間に所要のクリアランスを形成しつつ、第１取付プレート３の上記前後方向への移動の制限として、及び、第１取付プレート３のケース体２からの抜落ち防止として、ガイド部２ｂ１が切欠溝部３ｆの側壁に係止可能なように当該ガイド部２ｂ１をカシメる（図４（Ｂ）の（ｂ）参照）。
【００１３】
次に、本蝶番１のケース体２への第１取付プレート３の組み付け方、並びに左右方向の調整及び前後方向の調整のしかたについて説明する。
第１取付プレート３をケース体２のガイド部２ｂ１によって形成されたコ字状隙間に挿通させて（図４（Ｂ）の（ａ）参照）、例えば固定ボルト７のために設けられた当該ケース体２のネジ孔２ｅと当該第１取付プレート３の長円３ｅとが連通するようにケース体２に重ね合わせる。このとき、ケース体２の突起部２ｂによって第１取付プレート３の所定位置が均等に支持される態様をなす。したがって、従来の扉開閉装置と比べて正確な左右方向の調整の建付けが可能となる。そして、第１取付プレート３の切欠溝部３ｆにおける溝底３ｆ１とガイド部２ｂ１との間に所要のクリアランスを形成しつつ、ガイド部２ｂ１が切欠溝部３ｆの側壁に係止可能なように当該ガイド部２ｂ１をカシメる（図４（Ｂ）の（ｂ）参照）。この場合のクリアランスは、上述したように左右方向の調整に際して見込まれる調整量に応じて設定されるものであり、したがって、左右方向の調整に際しての調整量を大きくすることも可能となることに加え、第１取付プレート３のケース体２からの抜落ち防止ともなる。
【００１４】
しかる後、左右方向の調整をする場合には、ドライバ等の操作具で調整ボルト７（十字溝が設けられている）を適宜な方向に進退させると、調整ボルト７の進退に伴って第１取付プレート３は、突起部２ｂを支点として図３中の矢印Ａ１又はＡ２方向に揺動する。この揺動によって固定部材に対する扉体の左右方向の調整が可能となる。
また、前後方向の調整をする場合には、ドライバ等の操作具でカム６の本体部６ａ（十字溝が設けられている）を適宜方向に回転させると、カム６の下軸６ｂに対し本体部６ａが偏心して回転するために、第１取付プレート３は、ケース体２の板状部２ａ上を図３中の矢印Ｂ１又はＢ２方向に移動する。この移動によって固定部材に対する扉体の前後方向の調整が可能となる。
尚、固定ボルト８は、左右方向及び前後方向の調整前に、第１取付プレート３の長円３ｅを挿通してケース体２のネジ孔２ｅに仮止め状態にして螺着されるようにしておくことが好ましく、調整が完了したらネジ込んで第１取付プレート３をケース体２に固定し、この後で、ケース体２の円筒状部３ｂを覆う態様で化粧カバー５を装着する。
【産業上の利用可能性】
【００１５】
本発明の開き戸用蝶番は、固定部材に対する扉体の前後方向の調整及び左右方向の調整の両方が可能で、固定ボルトが緩んで外れることがあっても取付プレートがケース体から抜け落ちることがない従来の利点を備えつつ、正確な左右方向の調整の建付けが可能で、この方向の調整量を大きくできるので、既存のものに比べ利用価値の高いものと言える。
【図面の簡単な説明】
【００１６】
【図１】本実施の形態に係る開き戸用蝶番の斜視図である。
【図２】図１の開き戸用蝶番の分解斜視図である。
【図３】図１の開き戸用蝶番の斜視図及びその突起部のガイド部の詳細図である。
【図４】図１の開き戸用蝶番のガイド部に対するカシメ前後の詳細図である。
【図５】従来の扉開閉装置の分解斜視図である。
【図６】図５の扉開閉装置の構成図である。
【図７】図６の一部断面を含むＦ矢視図である。
【符号の説明】
【００１７】
１                    開き戸用蝶番
２                    ケース体
２ａ                  突起部
２ｂ１                            ガイド部
３                    第１取付プレート
３ａ                  板状部
３ｆ                  切欠溝部
【図１】
2014118785.tif 000003
【図２】
2014118785.tif 000004
【図３】
2014118785.tif 000005
【図４】
2014118785.tif 000006
【図５】
2014118785.tif 000007
【図６】
2014118785.tif 000008
【図７】
2014118785.tif 000009